(57)【要約】【課題】  取水路内壁面に、簡便、かつ安価に設置でき、電位分布を均一にして酸素を効率よく発生することができる海生生物付着防止装置及びその設置方法、並びに該設置方法に用いられる海生生物付着防止用複合プレートを得ること。【解決手段】  絶縁材３の表面にチタンシート４を装着するとともに上記絶縁材３の裏面側に取水路の流れ方向に延びる複数のステンレス鋼帯状体５を装着した海生生物付着防止用プレート２を取水路内壁面１に配設し、上記チタンシート４及び該ステンレス鋼帯状体５を外部直流電源と電気的に接続した。【選択図】  図１
2006081449.tif 000002
【特許請求の範囲】
【請求項１】
絶縁材の表面に陽極形成板状体を装着するとともに上記絶縁材の裏面側に取水路の流れ方向に延びる複数の陰極形成帯状体を装着した海生生物付着防止用プレートを取水路内壁面に配設し、上記陽極形成板状体及び該陰極形成帯状体を外部直流電源と電気的に接続したことを特徴とする海生生物付着防止装置。
【請求項２】
海生生物付着防止用プレートは、表面に陽極形成板状体を構成するパネル状チタンプレートが設けられ、該パネル状チタンプレートの裏面に絶縁材が配設され、該絶縁材の裏面側一端に陰極形成帯状体を構成するステンレス鋼帯状体が設けられた複数の複合プレートにより構成されていることを特徴とする、請求項１記載の海生生物付着防止装置。
【請求項３】
上記絶縁材は固定部に配された絶縁性樹脂とその他の部分に配された発泡剤とから構成されており、上記固定部で上記チタンプレート、上記絶縁材及び上記ステンレス鋼帯状体が固定部材により上記取水路内壁面に固定されていることを特徴とする、請求項１または２記載の海生生物付着防止装置。
【請求項４】
上記チタンプレートの表面が、電気的触媒で被覆されていることを特徴とする、請求項１乃至３のいずれかに記載の海生生物付着防止装置。
【請求項５】
上記電気的触媒が、白金系触媒、白金系金属酸化物からなる単一体、混晶体又は複合体から選択されることを特徴とする、請求項４記載の海生生物付着防止装置。
【請求項６】
上記固定部材が、チタン製アンカーボルトであることを特徴とする、請求項３記載の海生生物付着防止装置。
【請求項７】
上記ステンレス鋼帯状体の幅が１０ｍｍ以下であることを特徴とする、請求項１〜３のいずれかに記載の海生生物付着防止装置。
【請求項８】
本体部、上部重合わせ部及び下部重合わせ部とからなるパネル状チタンプレートと、該パネル状チタンプレート本体部及び下部重合わせ部の裏面に配された絶縁材と、該パネル状チタンプレートの裏面の一端に、該絶縁材を介して配置された長尺状ステンレス鋼プレートとからなり、該長尺状ステンレス鋼プレートが該パネル状チタンプレート下部重合わせ部より突出した突出部を有し、かつ該絶縁材が固定部に配された絶縁性樹脂とその他の部分に配された発泡剤とからなることを特徴とする、海生生物付着防止用複合プレート。
【請求項９】
取水路内壁面に、請求項８記載の複合プレートを、上記パネル状チタンプレートを表面とし、かつ上記長尺状ステンレス鋼プレートが裏面の上端部に位置するように配置し、上記パネル状チタンプレート上部重合わせ部と取水路の流れ方向に隣接する複合プレートの上記パネル状チタンプレート下部重ね合わせ部とを順次重ね合わせ、上記固定部で固定部材により上記取水路内壁面に固定し、該取水路内壁面の表面に複数の上記パネル状チタンプレートから構成されるチタンシート形成し、上記絶縁材の裏面に複数の上記長尺状ステンレス鋼プレートから構成されるステンレス鋼帯状体を取水路の流れ方向に複数設けることを特徴とする、海生生物付着防止装置の設置方法。
【発明の詳細な説明】
【技術分野】
【０００１】
本発明は、発電所等の取水路接水面（内壁面）に付着、生育して該取水路の正常機能を阻害する海生生物の付着を防止する海生生物付着防止装置、及び海生生物付着防止用複合プレート、並びにその設置方法に関する。
【背景技術】
【０００２】
海水を冷却水とする発電所等の取水路においては、その接水面（内壁面）にイガイ、フジツボ、ヒドロ虫、あるいは海藻類といった海生生物が付着する。このような取水路内壁面への付着は、取水路の冷却水流量の低下といった事態を招き、取水路の正常機能を阻害するものとなる。
【０００３】
これらの海生生物の駆除や付着防止（以下、防汚と称する）のため、塩素や塩素化合物の環境海水中への投入、毒性イオン生成顔料含有防汚塗料の塗布、海水電解による塩素や銅等の毒性イオンの生成等が知られている。
【０００４】
これらの方法は、有効な防汚機能を発揮するものの、大量の海水環境にあっては、その量や濃度の管理が容易ではなく、確実な防汚効果を期待するため過大な濃度になりやすい。その結果、環境汚染の原因となる可能性が高く、今日ではそのような方法は、禁止又は抑制の方向にある。
【０００５】
無公害、無毒性の防汚対策も進められており、例えばシリコーン系防汚塗料は、無公害で無毒性であるが、防汚効果を有する。しかし、このシリコーン系防汚塗料の塗布による方法は、貝殻等の異物の接触により防汚寿命が短い、施工コストが高い、大面積の対象物や既存の施設への簡単容易な施工手段がない、海水の流れを止めると防汚効果が減少する等の問題があり、広く実用されるに至っていない。
【０００６】
特開平１１−３２３８６８号公報（特許文献１）には、水中構造物の壁面に不溶性導電材を設置して、外部直流電源の正極に接続して陽極とし、電流を流すことにより、該導電材の界面で生成する塩素や発生酸素等による殺菌作用に基づく導電材表面への水中生物の付着を抑制あるいは防止する電気化学的防汚法における電極の配置構造について記載されている。
【０００７】
また、特開２０００−１１９８８４号公報（特許文献２）には、陽極を電気的触媒で被覆することによって、塩素の発生を抑制しながら酸素を発生させることができることが記載されている。
【０００８】
上記特許文献１では、陰極は帯板又は線材からなる格子状、簾状、網状あるいは螺旋状の金属体であり、複数の絶縁性支持具を介して陽極の表面から等間隔に配置するとされている。
【０００９】
しかし、上記特許文献１のような陰極の配置では、絶縁性支持具を必須としてコストがかかるほか、施工に手間がかかるという問題がある。また、陰極及び絶縁性支持具が取水路中に突出しているのでゴミ等の漂流物が陰極や絶縁性支持具に引っ掛かるという不都合も生じる。
【００１０】
一方、特開平７−３００８３３号公報（特許文献３）には、陰極を取水路底面に設けるものが記載されているが、この場合には電位分布が陰極に近いほうが大きくなり、陰極に近いほうは酸素の発生電位（１．２ｖＳ．Ｃ．Ｅ．以下）から塩素の発生電位に達してしまい酸素の発生を目的とする防汚には不適当である。
【００１１】
また、陽極としてチタンシートを使用し、陰極をチタンシートの取り付けボルトとして用い、チタンシートと絶縁して設置することも提案されているが、陰極の導通をリード線で行った後に、その上にチタンシートを設置する方法では、二重の手間がかかる。
【００１２】
また、陽極としてチタンシートを使用する場合に、その導通をチタンプレートで行っていたので、部品点数が増えると共に高コストとなっていた。また、アンカーボルトの数量もチタンプレート１枚あたり４箇所となるので、アンカーボルトの打ち込み作業に工数を要した。
【特許文献１】特開平１１−３２３８６８号公報
【特許文献２】特開２０００−１１９８８４号公報
【特許文献３】特開平７−３００８３３号公報
【発明の開示】
【発明が解決しようとする課題】
【００１３】
本発明は、このような点に鑑み、取水路内壁面に、簡便、かつ安価に設置でき、酸素を効率よく発生することができる海生生物付着防止装置を得ることを目的とする。
【課題を解決するための手段】
【００１４】
本発明者らは、検討の結果、陽極形成部材であるパネル状チタンプレートと陰極形成部材である長尺状ステンレス鋼プレートを一体化した複合プレートを用いることにより、取水路内壁面に陽極と陰極を同時に、簡便、かつ安価に設置できることを知見し、また、陰極が取水路の流れ方向に複数設けられていることから電位分布を均一にして酸素を効率よく発生することができることを見出し、本発明に到達したものである。
【００１５】
すなわち、第１の発明は、海生生物付着防止装置において、絶縁材の表面にチタンシートの如き陽極形成板状体を装着するとともに上記絶縁材の裏面側に取水路の流れ方向に延びる複数のステンレス鋼帯状体の如き陰極形成帯状体を装着した海生生物付着防止用プレートを取水路内壁面に配設し、上記陽極形成板状体及び該陰極形成帯状体を外部直流電源と電気的に接続したことを特徴とする。
【００１６】
また、第２の発明は、第１の発明において、海生生物付着防止用プレートが、表面にパネル状チタンプレートが設けられ、該パネル状チタンプレートの裏面に絶縁材が配され、該絶縁材の裏面側一端に長尺状ステンレス鋼プレートからなるステンレス鋼帯状体が設けられた複数の複合プレートにより構成されていることを特徴とする。
【００１７】
第３の発明は、本体部、上部重合わせ部及び下部重合わせ部とからなるパネル状チタンプレートと、該パネル状チタンプレート本体部及び下部重合わせ部の裏面に配された絶縁材と、該パネル状チタンプレートの裏面の一端に、該絶縁材を介して配置された長尺状ステンレス鋼プレートとからなり、該長尺状ステンレス鋼プレートが該パネル状チタンプレート下部重合わせ部より突出した突出部を有し、かつ該絶縁材が固定部に配された絶縁性樹脂とその他の部分に配された発泡剤とにより、海生生物付着防止用複合プレートを構成することを特徴とする。
【００１８】
第４の発明は、取水路内壁面に、請求項８記載の複合プレートを、上記パネル状チタンプレートを表面とし、かつ上記長尺状ステンレス鋼プレートが裏面の上端部に位置するように配置し、上記パネル状チタンプレートの上部重合わせ部と取水路の流れ方向に隣接する複合プレートの上記パネル状チタンプレートの下部重ね合わせ部とを順次重ね合わせ、上記固定部で固定部材により上記取水路内壁面に固定し、該取水路内壁面の表面に複数の上記パネル状チタンプレートから構成されるチタンシート形成し、上記絶縁材の裏面に複数の上記長尺状ステンレス鋼プレートから構成されるステンレス鋼帯状体を取水路の流れ方向に複数設けることを特徴とする。
【発明の効果】
【００１９】
本発明に係る海生生物付着防止装置は、上述のように構成することにより、電位分布を均一にすることができ、塩素を発生させることなく、酸素を効率よく発生させることができ、取水路内壁面の海生生物の付着を有効に防止することができる。また、海生生物付着防止用複合プレートを用いることよって、取水路内壁面に、簡便、かつ安価に海生生物付着防止装置を取り付けることができる。
【発明を実施するための最良の形態】
【００２０】
以下、本発明の実施の形態について説明する。
【００２１】
図１は、本発明の海生生物付着防止装置の概略構成を示す断面図であり、取水路内壁面１に、海生生物付着防止用プレート２が配設されている。上記海生生物付着防止用プレート２は、絶縁材３表面に陽極形成板体を構成するチタンシート４を装着するとともに上記絶縁材３の裏面側に取水路の流れ方向に延びる陰極形成材を構成する複数のステンレス鋼帯状体５が装着されており、上記各ステンレス鋼帯状体５が上記絶縁材３及びチタンシート４に形成された取水路の流れ方向に延びる開口部Ｓを介して取水炉内に露出し、取水炉内の海水と接触するようにしてある。そして、上記チタンシート４及び該ステンレス鋼帯状体５が外部直流電源と電気的に接続されている。
【００２２】
絶縁材３の裏面に設けられている複数の長尺ステンレス鋼プレートから構成されるステンレス鋼帯状体５は、陰極として用いられるものであり、このステンレス鋼帯状体（陰極）５の幅は１０ｍｍ以下にすることが望ましい。陰極の幅を１０ｍｍ以下とすることにより電流密度を１０Ａ／ｍ２以上とすることで陰極部への海生生物の付着を防止することができる。また、ステンレス鋼帯状体（陰極）５の海水との接触部の上下方向の幅は２〜１０ｍｍとし、かつ取水路の流れ方向に上下に複数設けられているので、陽極電位分布は均一なものとなる。
【００２３】
上記チタンシート４は、電気的触媒（図示せず）で被覆されていることが望ましく、この電気的触媒としては白金系触媒、白金系金属酸化物からなる単一体、混晶体又は複合体から選択され、ルテニウム触媒が特に好ましい。この電気的触媒は電気抵抗加熱等によって３５０〜４５０℃で数時間の熱活性化処理を施してもよい。このように電気的触媒でチタンシート４を被覆することによって、塩素の発生を抑制しながら酸素を発生させることができる。
【００２４】
チタンシート４の裏面側に設けられている絶縁材３は、上記海生生物付着防止用プレート２を取水路の内壁面１に固定する固定部に配設された絶縁性樹脂とその他の部分に配設された発泡剤とからなっており、絶縁性樹脂としては塩化ビニル樹脂等が例示される。固定部に絶縁性樹脂を用いるのは絶縁を確実にすると共に、固定を確固としたものにするためである。また、その他の部分に発泡剤を用いるのは絶縁を確実にすると共に、軽量化を図るためである。
【００２５】
チタンシート４、絶縁材３及びステンレス鋼帯状体５は、固定部にて固定部材によりコンクリート製の取水路の内壁面１に固定される。固定部材としてはチタン製アンカーボルトが海水中で溶解しないため望ましい。
【００２６】
しかして、陽極形成部材であるチタンシート４と陰極形成部材であるステンレス鋼帯状体５を絶縁材３とともに一体的に取水路内壁面１に取り付けることができ、海生生物付着防止装置を簡便、且つ安価に設置することができる。
【００２７】
図２は、本発明に係る海生生物付着防止装置における海生生物付着防止用プレート２の実施の形態を示す正面図であり、図３は、そのＡ−Ａ部分の断面図、図４はそのＢ−Ｂ部分の断面図、図５は図２で示される海生生物付着防止装置を構成する複合プレートの正面図、図６はその裏面図である。
【００２８】
図２〜６に係る海生生物付着防止装置における海生生物付着防止用プレート２は、複数個の複合プレート６、６・・・により構成されており、上記複数個の複合プレート６、６・・・が取水路の内壁面１に配列装着されている。上記複合プレート６は、その表面にパネル状チタンプレート７が設けられ、該パネル状チタンプレート７の裏面に絶縁材８が配され、該絶縁材の裏面側一端に長尺状ステンレス鋼プレートからなるステンレス鋼帯状体９を設けることにより構成されている。
【００２９】
しかして、上記複合プレート６を取水路の内壁面１に配列装着した場合、上記複数個のパネル状チタンプレート７により前記チタンシート４が構成される。
【００３０】
図３に示されるように、本発明に係る海生生物付着防止用複合プレート６は、上述のように、パネル状チタンプレート７と絶縁材８と長尺状ステンレス鋼プレート９とから構成されており、パネル状チタンプレート７は、本体部７ａ、その本体部７ａから複合プレート６の一側方に突出する上部重合わせ部７ｂ及び複合プレート６の他側方に位置する下部重合わせ部７ｃとからなる。パネル状チタンプレート７には、予め前述と同様に電気的触媒を被覆しておくことが望ましい。
【００３１】
絶縁材８は、パネル状チタンプレート本体部７ａ及び下部重合わせ部７ｃの裏面に配されている。パネル状チタンプレート７の裏面の上側部には、絶縁材８を介して長尺状ステンレス鋼プレートからなるステンレス鋼帯状体９が配置されており、この長尺状ステンレス鋼プレートからなるステンレス鋼帯状体９はパネル状チタンプレートの下部重合わせ部７ｃより突出した突出部９ａを有し（図３）、さらにステンレス鋼帯状体９の上端縁部がパネル状チタンプレート７の上端縁より寸法Ｌだけ突出されている（図４、図５、図６）。また、絶縁材８は、海生生物付着防止用複合プレート６を取水路内壁面に固定する固定部、例えば上記海生生物付着防止用複合プレート６の隅角部に配設された絶縁性樹脂８ａとその他の部分に配設された発泡剤８ｂとからなる。
【００３２】
チタンプレート（陽極）７、絶縁材８及びステンレス鋼帯状体（陰極）９は、固定部にて固定部材１０によりコンクリート製の取水路の内壁面１に固定される。固定部材１０としてはチタン製アンカーボルトが海水中で溶解しないため望ましい。
【００３３】
チタンプレート（陽極）７は、後述する陽極導電用チタンプレート１１を経て外部直流電源（図示せず）に電気的に接続され、ステンレス鋼帯状体（陰極）７は後述する陰極導電用ステンレス鋼プレート１２を経て外部直流電源（図示せず）に電気的に接続される。
【００３４】
次に、本発明に係る上記海生生物付着防止用複合プレートを用いた海生生物付着防止装置の設置方法について説明する。
【００３５】
コンクリートからなる取水路内壁面１に、上記複合プレート６を、上記パネル状チタンプレート７を表面とし、かつ上記長尺状ステンレス鋼プレートからなるステンレス鋼帯状体９が裏面の上端部に位置するように配置し、上記パネル状チタンプレート７の上部重合わせ部７ｂと取水路の流れ方向に隣接する複合プレートの上記パネル状チタンプレート７の重ね合わせ部７ｃとを順次重ね合わせるとともに、ステンレス鋼帯状体９の突出部９ａ上に隣接する複合プレート６のステンレス鋼帯状体９を重ね合わせる（図３）。一方、上下方向においては、図４に示すように、ステンレス鋼帯状体９の上端縁に上方の複合プレート６の下端部を隣接させて配置し、上下の複合プレート６間の取水路の流れ方向に延びる幅Ｌの隙間を介して上記ステンレス鋼帯状体９の上端縁が取水路内に露出し、海水と接触し得るようにする。
【００３６】
その後、前記固定部で固定部材１０、例えばチタン製アンカーボルトによりコンクリート製の取水路内壁面１に固定し、その取水路内壁面１の表面に複数の上記パネル状チタンプレート７から構成されるチタンシート４を形成し、上記絶縁材８の裏面に複合プレート６の上記長尺状ステンレス鋼プレートから構成され、取水路の流れ方向に延びる複数のステンレス鋼帯状体９を設ける。
【００３７】
このように、パネル状チタンプレート７と長尺状ステンレス鋼プレート９が一体化して設けられているので、チタンシート（陽極）４とステンレス鋼帯状体（陰極）５とが同時に設置でき、工数が半減される。また、隣接するパネル状チタンプレート７と長尺状ステンレス鋼プレート９は互いに重ね合わせて面接触で安定した電気的導通が取ることができる。具体的にはパネル状チタンプレート上部重合わせ部７ｂと取水路の流れ方向に隣接する複合プレートのパネル状チタンプレート下部重ね合わせ部７ｃとを順次重ね合わせてチタンシート４が形成されている。このため、固定手段として用いるアンカーボルトの数量も半減される。
【００３８】
図７は、本発明に係る海生生物付着防止装置をコンクリート製ボックスカルバート型取水路に適用した例を示す斜視図である。
【００３９】
取水路の内壁面にチタンシート（陽極）４とステンレス鋼帯状体（陰極）５が設置され、それぞれチタンシート４に接続された陽極導通用プレート１１とステンレス鋼帯状体に接続された陰極導通用プレート１２を直流電源装置１３に電気的に接続されている。
【００４０】
実際の操業においては、触媒被覆したチタンシート（陽極）４の電位を０．５２Ｖ〜１．２０Ｖ（陰極電流密度１０Ａ／ｍ２以上）に維持して、海水を電気分解し、発生酸素により海生生物の付着を効果的に防止することができた。
【図面の簡単な説明】
【００４１】
【図１】本発明に係る海生生物付着防止装置の概略構成を示す断面図。
【図２】本発明の一実施の形態を示す正面図。
【図３】図２のＡ−Ａ部分の断面図。
【図４】図２のＢ−Ｂ部分の断面図。
【図５】図２に示される海生生物付着防止装置を構成する複合プレートの正面図。
【図６】図２に示される海生生物付着防止装置を構成する複合プレートの裏面図。
【図７】本発明に係る海生生物付着防止装置をコンクリート製取水路に適用した例を示す斜視図。
【符号の説明】
【００４２】
１  取水路
２  海生生物付着防止用プレート
３  絶縁材
４  チタンシート
５  ステンレス鋼帯状体  
７  パネル状チタンプレート    
７ａ：本体部
７ｂ：上部重合わせ部
７ｃ：下部重合わせ部
８  絶縁材
８ａ：絶縁性樹脂
８ｂ：発泡剤
９  長尺状ステンレス鋼プレート
１０  固定部材
【図１】
2006081449.tif 000003
【図２】
2006081449.tif 000004
【図３】
2006081449.tif 000005
【図４】
2006081449.tif 000006
【図５】
2006081449.tif 000007
【図６】
2006081449.tif 000008
【図７】
2006081449.tif 000009